(57)【要約】【課題】本発明は、ネズミを捕獲しやすくし捕獲したネズミの後始末を簡単に出来るネズミ捕り具を得るにある。【解決手段】底面のないネズミ捕り篭２を分割し一方を床に置いた本体篭２ａとし他方を開閉する扉篭２ｂとし、前記本体篭２ａの入口に餌付きバー４を吊るしその後方に粘着シート３を配置したもので、ネズミが侵入し餌付きバー４に触れると扉篭２ｂが閉じ中のネズミを粘着シート３で捕獲するものとしたネズミ捕り具。【選択図】図４
2016158619.tif 000002
【特許請求の範囲】
【請求項１】
ネズミが餌付きバーに触れるとその作用によって入口の扉が連動して閉じるネズミ捕り篭において、
底面を無した篭を分割し一方を床に置いた本体篭（２ａ）とし他方を開閉する扉篭（２ｂ）とし閉じた時合体してネズミ捕り篭（２）として機能するもので、前記本体篭（２ａ）の中に餌付きバー（４）を吊るし、該餌付きバー（４）の後方床面に粘着シート（３）を配置したものから成るもので、
ネズミ捕り篭（２）と粘着シート（３）を併用したことを特徴としたネズミ捕り具。
【請求項２】
ネズミが餌付きバーに触れるとその作用によって入口の扉が連動して閉じるネズミ捕り篭において、
床面を無した篭を分割し一方を床に置いた本体篭（２ａ）とし他方を開閉する扉篭（２ｂ）とし閉じた時合体してネズミ捕り篭（２）として機能するもので、前記本体篭（２ａ）の中に餌付きバー（４）を吊るし、該餌付きバー（４）の後方壁に脱出口（５）を設うけ、該脱出口（５）の出口に粘着シート（３）とつい立て（８）を配置したものから成るもので、
ネズミ捕り篭（２）と粘着シート（３）を併用したことを特徴としたネズミ捕り具。
【発明の詳細な説明】
【技術分野】
【０００１】本発明はネズミ捕り具に関する。
【背景技術】
【０００２】従来、ネズミ捕り篭が知られている。
これは箱状の金網篭に入口となる扉を設うけネズミが餌付きバーに触れるとその作用によって扉が連動して閉じるものだが、
しかしながら、生け捕りにしたネズミの後始末をするのに篭を水中に浸して死なせ篭から取り出さなければならずその処理が面倒である欠点があった。【０００３】従来技術に発明の名称として動物の罠が知られている。（特許文献１）
これは基礎ハウジングの上部に開閉自在なカバーハウジングを設うけシーソー式踏み台を作動装置とし開いたカバーハウジングの中にネズミが侵入し踏み台に乗ると閉じて捕獲するものだが、
しかしながら、入口と作動装置までの径路が長いこと、又底面があり侵入床が変わるためネズミは警戒するので侵入しずらい欠点があった。【０００４】従来技術に発明の名称として粘着式ネズミ捕獲器が知られている。（特許文献２）
これは方形状の台紙を折り曲げハウス形体にし内側を粘着シートで被い中に侵入したネズミを捕獲するものだが、しかしながら
床面を粘着シートで被うと侵入径路が変化するためネズミは警戒するため侵入しずらい欠点があった。
【先行技術文献】
【特許文献】
【０００５】
【特許文献１】特許公開２００９−８２１１８
【特許文献２】特許公開２００８−２３７０７１
【０００６】本発明は以上の欠点に鑑み、
生け捕りにした篭内のネズミの後始末処理が簡単に出来、ネズミの習性にならって入口を大きく開放的にし、床面を変化させず、入口と作動装置である餌付きバーの径路を短かくして篭内に侵入しやすくしたネズミ捕り具を提供することを目的としている。
【課題を解決するための手段】
【０００７】上記目的を達成するために本発明は、
ネズミが餌付きバーに触れるとその作用によって入口の扉が連動して閉じるネズミ捕り篭において、
底面を無した篭を分割し一方を床に置いた本体篭２ａとし他方を開閉する扉篭２ｂとし閉じた時合体してネズミ捕り篭２として機能するもので、前記本体篭２ａの中に餌付きバー４を吊るし、該餌付きバー４の後方床面に粘着シート３を配置したものから成るもので、
ネズミ捕り篭２と粘着シート３を併用したことを特徴としたネズミ捕り具を構成している。
【０００８】上記目的を達成するために本発明は
ネズミが餌付きバーに触れるとその作用によって入口の扉が連動して閉じるネズミ捕り篭において、
底面を無した篭を分割し一方を床に置いた本体篭２ａとし他方を開閉する扉篭２ｂとし閉じた時合体してネズミ捕り篭２として機能するもので、前記本体篭２ａの中に餌付きバー４を吊るし、該餌付きバー４の後方壁に脱出口５を設うけ、該脱出口５の出口に粘着シート３とつい立て８を配置したものから成るもので、
ネズミ捕り篭２と粘着シート３を併用したことを特徴としたネズミ捕り具を構成している。
【発明の効果】
【０００９】以上の説明から明らかなように本発明にあっては次に列挙する効果が得られる。
【００１０】（１）請求項１の構成により、
本体篭２ａ内にネズミが侵入し餌付きバー４に触れると連動して扉篭２ｂが閉じるので、内のネズミはパニック状態となり走り廻るので内に配置した粘着シート３に強制的に付着され、捕獲したネズミは粘着シートと共に袋に入れて処分されるので生け捕りにしたネズミの後始末が簡単に出来る。
【００１１】（２）請求項１の構成により、
本体篭２ａと扉篭２ｂは分割したものであって入口を最大とすることにより入口を開放的にすることが出来るたネズミは警戒することなく侵入するので捕りやすいものとなる。
【００１２】（３）請求項１の構成により、
侵入口である本体篭２ａの底を付けないため段差がなく通路面と同じなのでネズミは警戒することなく侵入するので捕りやすいものとなる。
【００１３】（４）請求項１の構成により、
扉篭２ｂは本体篭２ａと連結され持ち上げられた状態で開くため本体篭２ａ内に吊るす餌付きバー４は入口付近であるためネズミは警戒することなく侵入するので捕りやすいものとなる。
【００１４】（５）請求項２の構成により、
前記（１）〜（４）と同様な効果が得られると共に、後方の脱出口５があるためより以上の開放的となるためネズミは警戒することなく侵入するので捕りやすいものとなる。
【００１５】（６）請求項２の構成により、
前記（１）〜（４）と同様な効果が得られると共に、粘着シート３を外に出すことによりネズミの死臭がネズミ捕り篭２に付着しずらくなり再利用しても捕獲しやすいものとなる。
【図面の簡単な説明】
【００１６】
【図１】本発明を実施するための第１の形態の正面図。
【図２】本発明を実施するための第１の形態の左右側面図。
【図３】本発明を実施するための第１の形態の平面図。
【図４】本発明を実施するための第１の形態の開いた時のＡ断面図。
【図５】本発明を実施するための第２の形態の正面図。
【図６】本発明を実施するための第２の形態の背面図。
【図７】本発明を実施するための第２の形態の左右側面図。
【図８】本発明を実施するための第２の形態の平面図。
【図９】本発明を実施するための第２の形態の開いた時のＢ断面図。
【発明を実施するための形態】
【００１７】以下、図面に示す本発明を実施するための形態により本発明を詳細に説明する。
【００１８】図１ないし図４に示す本発明を実施するための第１の形態において、
１はネズミ捕り具で、基本的にはネズミ捕り篭２と粘着シート３から成るもので両方の欠点を補完するものである。ネズミ捕り篭２だけでは生け捕りに出来てもその処理処分が難点であり、粘着シート３だけでは捕るのが難しいのが実状である。
【００１９】２はネズミ捕り篭で、本体篭２ａと扉篭２ｂから成り開いた時は分割され閉じた時にはネズミ捕り篭２として機能するもので、底面を無くすることでネズミが侵入しやすくなり  又  扉篭２ｂとすることで入口を大きくすることが出来侵入しやすいものとなる。材質としては金網や木製等がある。
２ａは体体篭で底面に置くものでその大きは扉篭２ｂと同じかそれ以上の大きさとすると安定する。
２ｂは扉篭で本体篭２ａとは蝶番等で結合し回転するものとする。
【００２０】３は粘着シートで市販されているもので可で捕れたネズミはシートで巻き付るため柔らかいシート状のものがよい。
４は餌付きバーで本体篭２ａ天井部で吊るし下端は餌を装着できるようにフック状とし、上端は開閉連結バー６に掛けられるようフック状にする。
【発明を実施するための異なる形態】
【００２１】次に、図５ないし図９に示す本発明を実施するための異なる形態につき説明する。なお、これらの本発明を実施するための異なる形態の説明に当って、前記本発明を実施するための第１の形態と同一構成部分には同一符合を付して重複する説明を省略する。
５は脱出口でネズミ捕り篭２内に閉じ込められたネズミはパニック状態となるため一目散に脱出口５から出るため外の粘着シート３に気付くことなく踏むため捕えられる。さらに、つい立て８があるため強制的に止まるため粘着シート３に捕えられるものとなる。
【００２２】本発明を実施するための第２の形態において、前記本発明を実施するための第１の形態と主に異なる点は、粘着シート３を外部に配置したもので、前記発明を実施するための第１の形態と同様な作用効果が得られる。
【産業上の利用可能性】
【００２３】本発明はネズミ捕り具を製造する産業で利用される。
【符号の説明】
【００２４】１：ネズミ捕り具、２：ネズミ捕り篭、２ａ：本体篭、２ｂ：扉篭、
３：粘着シート、４：餌付きバー、５：脱出口、６：開閉連結バー  ７：蝶番
８：つい立て。
【図１】
2016158619.tif 000003
【図２】
2016158619.tif 000004
【図３】
2016158619.tif 000005
【図４】
2016158619.tif 000006
【図５】
2016158619.tif 000007
【図６】
2016158619.tif 000008
【図７】
2016158619.tif 000009
【図８】
2016158619.tif 000010
【図９】
2016158619.tif 000011